【手続補正書】
【提出日】平成17年1月14日(2005.1.14)
【手続補正１】
【補正対象書類名】明細書
【補正対象項目名】全文
【補正方法】変更
【補正の内容】
【書類名】    明細書
【発明の名称】雨衣
【特許請求の範囲】
【請求項１】雨衣に複数の開口部を設け、該開口部を内面に多数の独立空気室を有するシート片で覆って、該雨衣の外面とシート片の内面で二重重ね合わせ部を形成するとともに、該二重重ね合わせ部に、雨衣の内部と外部を多数の独立空気室で連通させる隙間を設けたことを特徴とする雨衣。
【請求項２】該雨衣が、内面に多数の独立空気室が設けられた単層シートからなる請求項１記載の雨衣。
【発明の詳細な説明】
【０００１】
【発明の属する技術分野】
本発明は、身体及び衣服との間で発生する熱と湿気を外部に効率よく排出できる、通気性に優れた雨衣に関するものでる。
【０００２】
【従来の技術】
従来よりナイロン、塩化ビニール等の樹脂やゴム等の単層シートを使用した雨衣、上記シートに裏地として布を貼着した複層シートからなる雨衣などが知られている。実開昭５７−１２９７１８号には、上記雨衣の裏地に多数の独立空気室を設けた合成樹脂シートを溶着して通気性を付与した複層シートからなる雨衣が開示されている。また多数の独立空気室を有する合成樹脂シートを使用した単層シートからなる雨衣が実開平１−１６８５１９号及び実開平５−１４１０９号などに提案されている。
【０００３】
上記従来の雨衣は、通気性がないため、衣類と雨衣との間で発生する湿気により雨衣の内面が結露し、着用者に水漏れしたような錯覚を与えるという問題があった。裏地に多数の独立空気室を有する合成樹脂シートを溶着した雨衣は通気性が幾分解消され、衣類に張り付き難いという利点があるものの、雨衣内部の胴体部やズボン内部の内面が依然として湿気により結露するという問題があった。また雨衣内面が結露すると衣類に張り付いて雨衣が脱ぎ難いという問題がある。
【０００４】
【発明が解決しようとする課題】
本発明は、従来の雨衣に関する上記問題点を解決し、雨衣内部で体温により発生する熱と湿気を効率よく外部に排出するとともに、雨衣と衣類に水滴が付着することを排除した、快適性に優れた雨衣を提供することを目的とする。
【０００５】
【課題を解決するための手段】
上記目的を達成するため、本発明の雨衣は、雨衣に複数の開口部を設け、該開口部を内面に多数の独立空気室を有するシート片で覆って、該雨衣の外面とシート片の内面で二重重ね合わせ部を形成するとともに、該二重重ね合わせ部に、雨衣の内部と外部を多数の独立空気室で連通させる隙間を設けたことを特徴とする雨衣である。
【０００６】
本発明の雨衣は、更に内面に多数の独立空気室が設けられたシートからなる雨衣である。
【０００７】
【発明の実施の態様】
本発明によれば、雨衣内で発生する熱を外部に排出する複数の開口部を雨衣内の熱が溜まり易い位置に設け、しかも該開口部を多数の独立空気室を有するシート片で覆って二重重ね合わせ部を形成することにより、雨衣と衣類との間で発生する湿気が効率よく外部に排出される。多数の独立空気室が設けられた単層シートからなる雨衣は軽量で、行動性に優れるとともに、多数の空気室が緩衝材となるため小さな衝撃に対して身体を防護するためにも好適である。また多数の空気室を有する雨衣は水中に浮遊するため水難の幇助と目印にもなる。
【０００８】
【実施例】
次に本発明の雨衣について図面にて説明する。本発明で使用する雨衣には通常ナイロン、ポリエチレン、ポリプロピレン等の合成樹脂の単層シートや、上記シートに裏地としてゴムシートを貼着した複層シート、実開昭５７−１２９７１８号に記載されている上記雨衣用のシートの裏地に、多数の独立空気室を有するポリプロピレン、またはポリエチレン等の樹脂シートを貼着したものが使用される。また実開平５−１４１０９号に記載されているように多数の独立空気室を有する合成樹脂の単層シートのみを使用することもできる。単層シートからなる雨衣は軽量で、しかも衝撃に対し多数の空気室がクッションになる利点がある。
【０００９】
図１は多数の独立空気室を有する合成樹脂シートの一例であり、雨衣に設けられた開口部を二重重ねとなるように覆うシート片に用いられる。該合成樹脂シートは雨衣の裏地に貼着しても、またこのシートを雨衣本体としても使用することができる。図１に示す合成樹脂シートは厚さ０．９ｍｍのポリプロピレン製のシートに９０％の空気量を充填した直径１１ｍｍ多数の独立空気室が３５ｍｍの間隔で設けられている。かかる多数の独立空気室を有する合成樹脂シートはエアキャップとして市販されている。独立空気室の大きさ、空気量等は雨衣に設けられた開口部を覆うシート片の二重重ね部の大きさと雨衣の使用場所により適宜選定される。また雨衣用には使用する人の身体の大きさ、使用場所等に適したシートが選定される。空気室に充填される空気量は周囲の温度変化で破裂せず、しかも平坦な雨衣の外面との間で外部と連通する隙間を形成する必要がある。通常空気量が多い方が好ましい。空気室が変形しないまでを満量としたものを１００％とすると、９０％程度の空気量が望ましい。上記シートは雨衣に使用すること衣類との接触面積が少なくて内部の湿気の排出が容易である。
【００１０】
図２は上着及びズボンからなる雨衣の正面図、図３は側面図、図４は後面図であり、雨衣に設けられた側口部の寸法と位置の一例である。図では雨衣内部で比較的湿気の溜まりやすい位置に開口部を設けた例である。開口部の形状と位置及び大きさは雨衣の種類（上着及びズボン、コート）、着用者の身体の大きさ、着用場所、気温等により適宜決定される。
【００１１】
図２及び図３に示すように雨衣上着の前面の襟より１００ｍｍ下に大きさ１００ｍｍ×５０ｍｍの開口部１０Ａ、１１Ａが設けられている。また２つの開口部の間隔は６０ｍｍである。更に上記開口部から１３０ｍｍ下に開口部１０Ａ、１１Ａと同じ大きさと間隔で開口部１２Ａ、１３Ａが設けられている。左右の袖部には左右の肩から１００ｍｍ下に大きさ８０ｍｍ×５０ｍｍの開口部２０Ａが設けられている。また脇下から２０ｍｍ下の左右袖部には大きさ７０ｍｍ×５０ｍｍの開口部１４Ａ、１５Ａが設けられている。上記開口部１４Ａ、１５Ａと同じ大きさの開口部１４Ｂ、１５Ｂが相対する胴体側にも設けられている。
【００１２】
ズボンの前面にはバンド締めから５０ｍｍ下に大きさ１００ｍｍ×５０ｍｍの開口部１６Ａ、１７Ａが設けられている。股下の２０ｍｍ下の前部で、かつ左右相対する位置に大きさが７０ｍｍ×５０ｍｍの開口部１８Ａが設けられている。また両サイドの膝上１３０ｍｍの位置に１００ｍｍ×５０ｍｍの大きさの開口部１９Ａが設けられている。
【００１３】
図４及び図３に示すように雨衣の裏面上着の襟より１００ｍｍ下に大きさ１３０ｍｍ×５０ｍｍの開口部１Ａ、２Ａが設けられている。また２つの開口部の間隔は３０ｍｍである。更に上記開口部から１３０ｍｍ下に開口部１Ａ、２Ａと同じ大きさと間隔で開口部３Ａ、４Ａが設けられている。ズボンの裏面にはズボンの前面に設けられた開口部１６Ａ、１７Ａ、１８Ａに相対する位置に同一の大きさの開口部５Ａ、６Ａ、７Ａが設けられている。また左右の膝下１００ｍｍの位置に８０ｍｍ×５０ｍｍの開口部８Ａ、９Ａが設けられている。
【００１４】
図５は図４の開口部２Ａの形状であり、縦５０ｍｍ（ロ）、横１３０ｍｍ（イ）の長方形状である。開口部の形状はどのような形状でもよいが、デザイン性と雨衣の強度から適宜決定される。
図６は図３のＡ部詳細図であり、開口部の縦方向の断面（ロ）を示す図で、雨衣本体には多数の空気室が設けられたシートを使用している。雨衣に設けられた開口部２１を多数の独立空気室を有するシート片２２が、空気室側が雨衣の外面に接して二重重ね合わせとなるように覆っている。二重重ね合わせ部２３はシート片と雨衣との隙間から雨水が浸入しない長さにする必要がある。短いと雨水が浸入するが、逆に長くするとデザイン性や作業性に劣る。通常５０ｍｍ前後であれば雨水の浸入を防ぐことができ、しかもデザイン性に優れ、作業性にも支障がなく好ましい。
図７は開口部の横方向の断面（イ）を示す図で、開口部を覆うシート片の両サイドからの雨水の浸入を防ぐため、シート片の両サイドが雨衣に接合されている。
【００１５】
【発明の効果】
以上のように、本発明の雨衣は複数の開口部を設け、かつ該開口部を二重重ね合わせとなるよう多数の空気室を有するシート片で覆ったため、身体及び衣類との間に発生する熱と湿気が容易に排出でき、季節を問わず雨衣を快適に着ることができる。また開口部の位置と大きさ及び開口部を覆うシート片の大きさを工夫すればデザイン性に優れた雨衣が提供できる。雨衣用のシートとしてシート片と同じ多数の空気室を有するシートを使用すれば雨衣の製作が容易で、軽量で、強く、雨衣の内面に湿気及び水滴の付着が少ない着脱容易な安価な雨衣が提供できる。また多数の空気室を有するため水中で浮いて目印となるため水難事故の幇助にも使用できる。
【図面の簡単な説明】
【図１】
雨衣に設けられた複数の開口部を覆うシート片に使用する、多数の独立空気室を有するシートの説明図である。
【図２】
雨衣の正面図である。
【図３】
雨衣の側面図である。
【図４】
雨衣の裏面図である。
【図５】
図４に示す開口部の形状を示す図である。
【図６】
開口部の縦方向の断面図である。
【図７】
開口部の横方向の断面図である。
【符号の説明】
１Ａ〜４Ａ、１０Ａ〜１５Ａ：雨衣上着に設けられた開口部
５Ａ〜９Ａ、１６Ａ〜２０Ａ：雨衣ズボンに設けられた開口部
２１：開口部
２２：シート片
２３：二重重ね合わせ部


【手続補正２】
【補正対象書類名】図面
【補正対象項目名】図６
【補正方法】変更
【補正の内容】
【図６】
2002146604.tif 000001